(57)【要約】【課題】同一の印刷設定機能に対する複数の設定から何れかの設定を利用者が選択することを容易にするプレビュー画面表示装置を提供する。【解決手段】印刷用のプレビュー画面を表示するためのプレビュー画面表示装置であって、利用者からの入力に応じて、印刷設定機能を選択する選択手段と、プレビュー用の画像を読み取る読取手段と、前記選択手段により選択された前記印刷設定機能について、相互に異なった複数の設定にそれぞれ対応する複数の表示オブジェクトであってプレビュー用の前記画像を含んだものを同一画面に同時表示し、または、操作者の選択操作を受け付けて切り替え表示するプレビュー表示手段を備える。【選択図】図１２
2018006949.tif 000002
【特許請求の範囲】
【請求項１】
印刷用のプレビュー画面を表示するためのプレビュー画面表示装置であって、
利用者からの入力に応じて、印刷設定機能を選択する選択手段と、
プレビュー用の画像を読み取る読取手段と、
前記選択手段により選択された前記印刷設定機能について、相互に異なった複数の設定にそれぞれ対応する複数の表示オブジェクトであってプレビュー用の前記画像を含んだものを同一画面に同時表示し、または、操作者の選択操作を受け付けて切り替え表示するプレビュー表示手段と、
を備えることを特徴とするプレビュー画面表示装置。
【請求項２】
請求項１に記載のプレビュー画面表示装置であって、
前記プレビュー表示手段は、前記同時表示を行う場合には、前記複数の表示オブジェクトを相互に異なった位置に表示し、前記切り替え表示をする場合には、前記複数の表示オブジェクトを同一の位置に表示することを特徴とするプレビュー画面表示装置。
【請求項３】
請求項１又は２に記載のプレビュー画面表示装置であって、
前記選択手段が前記印刷設定機能を選択する時に、前記読取手段がプレビュー用の前記画像を既に読み取っているならば、前記プレビュー表示手段は、前記選択手段により選択された前記印刷設定機能について、相互に異なった複数の設定にそれぞれ対応する複数の表示オブジェクトであってプレビュー用の前記画像を含んだものを同一画面に同時表示し、または、操作者の選択操作を受け付けて切り替え表示し、
前記選択手段が前記印刷設定機能を選択する時に、前記読取手段がプレビュー用の前記画像を未だに読み取っていないならば、前記プレビュー表示手段は、前記選択手段により選択された前記印刷設定機能について、相互に異なった複数の設定にそれぞれ対応する複数の表示オブジェクトであってプレビュー用の前記画像を含まないものを同一画面に同時表示し、または、操作者の選択操作を受け付けて切り替え表示することを特徴とするプレビュー画面表示装置。
【請求項４】
請求項１乃至３の何れか１項に記載のプレビュー画面表示装置であって、
前記印刷設定機能とは、同一のページ数のページ集約機能、綴じ代追加機能及び枠消去機能のうちの何れかであることを特徴とするプレビュー画面表示装置。
【請求項５】
請求項４に記載のプレビュー画面表示装置であって、
前記印刷設定機能が同一のページ数のページ集約機能である場合には、相互に異なった複数の設定とは、同一のページ数のページ集約機能についての相互に異なった複数のページ配置順序であり、
前記印刷設定機能が綴じ代追加機能である場合には、相互に異なった複数の設定とは、綴じ代の相互に異なった複数の設定位置であり、
前記印刷設定機能が枠消去機能である場合には、相互に異なった複数の設定とは、個々の枠の消去の有無に関する相互に異なった複数の組み合わせであることを特徴とするプレビュー画面表示装置。
【請求項６】
請求項１乃至５の何れか１項に記載のプレビュー画面表示装置であって、
前記表示オブジェクトは、前記選択手段が選択のために利用するボタンに表示されることを特徴とするプレビュー画面表示装置。
【請求項７】
請求項１乃至５の何れか１項に記載のプレビュー画面表示装置であって、
前記表示オブジェクトは、前記選択手段が選択のために利用するボタン以外の領域に表示されることを特徴とするプレビュー画面表示装置。
【請求項８】
請求項１乃至７の何れか１項に記載のプレビュー画面表示装置を備えることを特徴とする複合機。
【請求項９】
印刷用のプレビュー画面を表示するためのプレビュー画面表示方法であって、
利用者からの入力に応じて、印刷設定機能を選択する選択ステップと、
プレビュー用の画像を読み取る読取ステップと、
前記選択ステップにより選択された前記印刷設定機能について、相互に異なった複数の設定にそれぞれ対応する複数の表示オブジェクトであってプレビュー用の前記画像を含んだものを同一画面に同時表示し、または、操作者の選択操作を受け付けて切り替え表示するプレビュー表示ステップと、
を備えることを特徴とするプレビュー画面表示方法。
【請求項１０】
請求項１乃至７の何れか１項に記載のプレビュー画面表示装置としてコンピュータを機能させることを特徴とするプレビュー画面表示用プログラム。
【発明の詳細な説明】
【技術分野】
【０００１】
本発明は、プレビューを表示するためのプレビュー画面表示装置、プレビュー画面表示方法及びプレビュー画面表示用プログラムに関する。
【背景技術】
【０００２】
画像を紙などに形成したり、紙などから画像を読み取ったり、画像を複写したり、画像を記憶装置などに格納したり、外部装置との間で画像を送受信するための機能を有する複合機(Multi-Function Printer)が昨今ある。
【０００３】
複合機が備える機能のうち複写機能においては、紙などから画像を読み取るための機能部である画像読取装置と紙などに画像を形成するための機能部である画像形成装置とが協働する。ここで、複合機においては、画像読取装置が読取った画像を画像形成装置により紙などに形成する際には、種々の印刷設定機能を用いることができる。
【０００４】
種々の印刷設定機能としては、例えば、ページ集約機能、綴じ代追加機能、枠消去機能などをあげることができる。
【０００５】
ページ集約機能とは、１枚の用紙に複数のページを縮小して印刷する機能のことである。例えば、４ページの集約機能の場合には、Ａ４のページをＡ６の大きさに縮小して、Ａ４の用紙に４ページ印刷する。
【０００６】
綴じ代追加機能とは、例えば、用紙の左側に数センチの綴じ代を設け、綴じ代を避けるために印刷する位置を右側にずらす機能のことである。
【０００７】
枠消去機能とは、例えば、読取った画像に含まれる四辺の黒色の枠を消去して、枠の部分を白色に変更する機能のことである。
【０００８】
ステープル機能とは、画像形成後の複数のページを、フィニッシャにてステープルで綴じる機能のことである。
【先行技術文献】
【特許文献】
【０００９】
【特許文献１】特開２００４−２９２９２号公報
【発明の概要】
【発明が解決しようとする課題】
【００１０】
ところで、多くの複合機は、プレビュー機能を備える。プレビュー機能を用いると、画像読取装置により読み取った画像に、印刷設定機能を適用した上で、印刷設定機能を適用した画像を画像形成装置により紙などに形成する場合に、紙にどうような画像が形成されるのかを画面に表示することができる。つまり、プレビュー機能は、コンピュータの分野におけるＷＹＳＩＷＹＧ(What You See Is What You Get)の機能を提供するものである。
【００１１】
しかし、印刷設定機能が複数ある場合、各々の印刷設定機能における設定が１つのプレビュー画像にまとめて反映されるため、着目している特定の印刷設定機能がどのようにプレビュー画面に表示される画像に反映されているのかを容易に把握できない場合がある。
【００１２】
また、印刷設定機能の設定は、各印刷設定機能毎に行うのが通常であるが、各印刷設定機能毎に設定をする際に表示される画面は、プレビュー画面を用いたものではないため、設定が自分が意図しているものであるのかどうかを画面により把握できるとは必ずしもいえない。
【００１３】
特許文献１には、高齢者や初心者であっても理解し易く、容易に各種設定を行うことができ、また、高齢者や弱視力者であっても扱い易い表示が成されることを目的として、例えば、応用機能の設定を行う応用機能画面において、応用機能の１つである“１枚集約機能”に関する画面のみを表示することで、各項目の文字フォントを大きくして、高齢者や弱視力者であってもこれを認識し易くする。また、機能毎にその内容を説明する機能説明情報３００ａを付帯表示することで、高齢者や初心者であっても、その機能の内容を容易に理解できるようにした画像形成装置が開示されている。
【００１４】
しかし、特許文献１では、応用機能における設定値毎の模式図を表示するのみであるので、応用機能の各々の設定値によりどうような印刷結果が得られるのかを把握することが容易であるということは必ずしもいえない。
【００１５】
そこで、本発明は、同一の印刷設定機能に対する複数の設定から何れかの設定を利用者が選択することを容易にするプレビュー画面表示装置、プレビュー画面表示方法及びプレビュー画面表示用プログラムを提供することを目的とする。
【課題を解決するための手段】
【００１６】
本発明によれば、
印刷用のプレビュー画面を表示するためのプレビュー画面表示装置であって、
利用者からの入力に応じて、印刷設定機能を選択する選択手段と、
プレビュー用の画像を読み取る読取手段と、
前記選択手段により選択された前記印刷設定機能について、相互に異なった複数の設定にそれぞれ対応する複数の表示オブジェクトであってプレビュー用の前記画像を含んだものを同一画面に同時表示し、または、操作者の選択操作を受け付けて切り替え表示するプレビュー表示手段と、
を備えることを特徴とするプレビュー画面表示装置
が提供される。
また、本発明によれば、
印刷用のプレビュー画面を表示するためのプレビュー画面表示方法であって、
利用者からの入力に応じて、印刷設定機能を選択する選択ステップと、
プレビュー用の画像を読み取る読取ステップと、
前記選択ステップにより選択された前記印刷設定機能について、相互に異なった複数の設定にそれぞれ対応する複数の表示オブジェクトであってプレビュー用の前記画像を含んだものを同一画面に同時表示し、または、操作者の選択操作を受け付けて切り替え表示するプレビュー表示ステップと、
を備えることを特徴とするプレビュー画面表示方法
が提供される。
更に、本発明によれば、上記のプレビュー画面表示装置としてコンピュータを機能させることを特徴とするプレビュー画面表示用プログラムが提供される
【発明の効果】
【００１７】
発明によれば、同一の印刷設定機能に対する複数の設定から何れかの設定を利用者が選択することが容易になる。
【図面の簡単な説明】
【００１８】
【図１】本発明の実施形態によるプレビュー画面表示装置の構成を示すブロック図である。
【図２】本発明の実施形態による複合機の構成を示すブロック図である。
【図３】本発明の実施形態によるプレビュー画面表示装置により表示される初期画面（プレビュー不可能）を示す図である。
【図４】本発明の実施形態によるプレビュー画面表示装置により表示される初期画面（プレビュー可能）を示す図である。
【図５】本発明の実施形態によるプレビュー画面表示装置により表示されるプレビュー画面を示す図である。
【図６】本発明の実施形態によるプレビュー画面表示装置により表示されるプレビュー及び印刷設定機能メニューの画面を示す図である。
【図７】本発明の実施形態によるプレビュー画面表示装置により表示される他の印刷設定機能メニューの画面を示す図である。
【図８】本発明の第１の実施形態によるプレビュー画面表示装置により表示されるページ集約機能に係る画面を示す図である。
【図９】本発明の第１の実施形態によるプレビュー画面表示装置により表示されるページ集約機能に係る画面を示す図である。
【図１０】本発明の第１の実施形態によるプレビュー画面表示装置により表示されるページ集約機能に係る画面を示す図である。
【図１１】本発明の第１の実施形態によるプレビュー画面表示装置により表示されるページ集約機能に係る画面を示す図である。
【図１２】本発明の第１の実施形態によるプレビュー画面表示装置により表示されるページ集約機能に係る画面を示す図である。
【図１３】本発明の第１の実施形態によるプレビュー画面表示装置により表示されるページ集約機能に係る画面を示す図である。
【図１４】本発明の第１の実施形態によるプレビュー画面表示装置により表示されるページ集約機能に係る画面を示す図である。
【図１５】本発明の第２の実施形態によるプレビュー画面表示装置により表示される綴じ代追加に係る画面を示す図である。
【図１６】本発明の第２の実施形態によるプレビュー画面表示装置により表示される綴じ代追加に係る画面を示す図である。
【図１７】本発明の第３の実施形態によるプレビュー画面表示装置により表示される枠消去に係る画面を示す図である。
【図１８】本発明の第３の実施形態によるプレビュー画面表示装置により表示される枠消去に係る画面を示す図である。
【図１９】本発明の第３の実施形態によるプレビュー画面表示装置により表示される枠消去に係る画面を示す図である。
【図２０】本発明の第３の実施形態によるプレビュー画面表示装置により表示される枠消去に係る画面を示す図である。
【図２１】本発明の実施形態によるプレビュー画面表示方法を説明するためのフローチャート（１／２）である。
【図２２】本発明の実施形態によるプレビュー画面表示方法を説明するためのフローチャート（２／２）である。
【図２３】本発明の実施形態による複合機の構成を示す概念図である。
【発明を実施するための形態】
【００１９】
以下、図面を参照して本発明を実施するための形態について詳細に説明する。
図１は、本発明の実施形態によるプレビュー画面表示装置２０１の機能ブロック図である。
図１を参照すると、本実施形態によるプレビュー画面表示装置２０１は、入力部２０３、プレビュー用画像読取部２０５、印刷設定機能選択部２０７、表示オブジェクト生成部２０９及び表示部２１１を含む。
【００２０】
印刷設定機能選択部２０７及び表示オブジェクト生成部２０９は、演算処理部２１３（図２参照）に含まれていてもよい。入力部２０３及び表示部２１１は、タッチパネル付液晶表示装置のように、一体化して操作パネル部２１７に含まれていてもよい。
【００２１】
入力部２０３は、ハードウェア又はソフトウェアによる各種入力キー、各種入力ボタンを備え、利用者からの操作を受け付ける。
【００２２】
プレビュー用画像読取部２０５は、例えば、画像読取装置であり、これを、プレビュー用画像の読取装置としても用いたものである。画像読取装置は、例えば、原稿に対して、光を主走査方向及び副走査方向に走査させて、反射光を検出することにより、原稿から二次元的画像を取得する。
【００２３】
印刷設定機能選択部２０７は、利用者からの入力に応じて、印刷設定機能を選択する。
【００２４】
表示オブジェクト生成部２０９は、印刷設定機能選択部２０７により選択された印刷設定機能について、相互に異なった複数の設定にそれぞれ対応する複数の表示オブジェクトであってプレビュー用の前記画像を含んだものを同一画面に時間及び位置のうちの一方を同じにして他方を異ならせるように生成し、更に、これらを含んだ画像を生成して、この画像を表示装置２１１に表示させる。ここで、表示オブジェクトとは、画面において一定の面積を占めたり、画面の表示方法や動作を制御するものである。
【００２５】
また、印刷設定機能選択部２０７が印刷設定機能を選択する時に、プレビュー用画像読取部２０５がプレビュー用の画像を既に読み取っているならば、表示オブジェクト生成部２０９は、印刷設定機能選択部２０７により選択された印刷設定機能について、相互に異なった複数の設定にそれぞれ対応する複数の表示オブジェクトであってプレビュー用の画像を含んだものを同一画面に時間及び位置のうちの一方を同じにして他方を異ならせるように生成し、更に、これらを含んだ画像を生成して、この画像を表示装置２１１に表示させる。
【００２６】
更に、印刷設定機能選択部２０７が印刷設定機能を選択する時に、プレビュー用画像読取部２０５がプレビュー用の画像を未だに読み取っていないならば、表示オブジェクト生成部２０９は、印刷設定機能選択部２０７により選択された印刷設定機能について、相互に異なった複数の設定にそれぞれ対応する複数の表示オブジェクトであってプレビュー用の前記画像を含まないものを同一画面に時間及び位置のうちの一方を同じにして他方を異ならせるように生成し、更に、これらを含んだ画像を生成して、この画像を表示装置２１１に表示させる。
【００２７】
表示部２１１は、各種情報、各種画像、各種図形を表示する。なお、これらは、表示オブジェクトの形式で表示してもよい。
【００２８】
次に、本実施形態によるプレビュー画面表示装置による表示される画面についての説明をする。
【００２９】
図３は、原稿が、シート積載部７１１にも原稿自動給送部７００にもセットされていない状態におけるユーザインターフェース画面を示す。図３に示すように、プレビューボタン２２１Ａはグレイアウトされていて、利用できない状態となっている。
【００３０】
図４は、原稿が、シート積載部７１１又は原稿自動給送部７００にセットされた状態におけるユーザインターフェース画面を示す。図４に示すように、プレビューボタン２２１Ｂは通常表示されていて、利用できる状態となっている。プレビューボタン２２１Ｂが利用者により押されると、原稿がプレビュー用画像読取部２０５により読み取られプレビュー画像が取得される。
【００３１】
図５は、原稿を読み取った後に、プレビュー画像を用いたプレビュー表示（大）２２３を含むこととなったユーザインターフェース画面を示す。図５に示す画面においてタブ２２５を選択すると、図６に示すように、印刷設定機能の一覧表２２７が表示される。一覧表２２７には、領域の面積の制限などにより、一覧表２２７に含めることができない他の印刷設定機能を選択するための「他の機能」ボタン２２９も含まれている。
【００３２】
「他の機能」ボタン２２９を選択すると、図７に示すように、他の機能の一覧が表示される。この一覧には、例えば、ページ集約機能を選択するための「ページ集約」ボタン２３３、綴じ代追加機能を選択するための「とじしろ」ボタン２３５、枠を消去するための「枠消去」ボタン２３７が含まれている。
【００３３】
［第１の実施の形態］
「ページ集約」ボタン２３３を押すと、図８に示すように、集約ページ数を選択するためのボタン３０３、３０５、３０７、３０９を含んだ初期画面が表示される。図８に初期画面においては、集約機能なしに対応する「ＯＦＦ」ボタン３０３が選択されている。ここで、他の何れかのボタン３０５、３０７、３０９を押したときに表示される画面は、未だにプレビュー画像を取得していない場合と、既にプレビュー画像を取得している場合との間で異なる。つまり、他の何れかのボタン３０５、３０７、３０９が押されると、未だにプレビュー画像を取得していない場合には、集約ページ数に応じて図９、図１０又は図１１の画面が表示され、既にプレビュー画像を取得している場合には、集約ページ数に応じて図１２、図１３又は図１４の画面が表示される。
【００３４】
未だにプレビュー画像を取得していない場合において、「２ページ」ボタン３０５が選択されると、画面は、図９に示すようになる。図９に示す画面においては、集約ページの第１の配置順序に対応するボタン３１１は、第１の配置順序を示す数字１〜２がそれぞれ付された２つのページを含むアイコンを２つ含み、それぞれが縦方向と横方向のレイアウトに対応する。また、集約ページの第２の配置順序に対応するボタン３１３は、第２の配置順序を示す数字１〜２がそれぞれ付された２つのページを含むアイコンを２つ含み、それぞれが縦方向と横方向のレイアウトに対応する。ボタン３１１、３１３のうちの何れかが押されると、印刷時には押されたボタンに対応した順序で２ページ集約印刷が実行される。
【００３５】
未だにプレビュー画像を取得していない場合において、「４ページ」ボタン３０７が選択されると、画面は、図１０に示すようになる。図１０に示す画面においては、集約ページの第１の配置順序に対応するボタン３１５は、第１の配置順序を示す数字１〜４がそれぞれ付された４つのページを含むアイコンを２つ含み、それぞれが縦方向と横方向のレイアウトに対応する。また、集約ページの第２の配置順序に対応するボタン３１７は、第２の配置順序を示す数字１〜４が付された４つのページを含むアイコンを２つ含み、それぞれが縦方向と横方向のレイアウトに対応する。集約ページの第３の配置順序に対応するボタン３１９及び集約ページの第４の配置順序に対応するボタン３２１は、同様であるので、重複する説明を省略する。ボタン３１５、３１７、３１９、３２１のうちの何れかが押されると、印刷時には押されたボタンに対応した順序で４ページ集約印刷が実行される。
【００３６】
未だにプレビュー画像を取得していない場合において、「８ページ」ボタン３０９が選択されると、画面は、図１１に示すようになる。図１１に示す画面においては、集約ページの第１の配置順序に対応するボタン３２３は、第１の配置順序を示す数字１〜８の配置位置がわかるようなアイコンを２つ含み、それぞれが縦方向と横方向のレイアウトに対応する。また、集約ページの第２の配置順序に対応するボタン３２５は、第２の配置順序を示す数字１〜８の配置位置がわかるようなアイコンを２つ含み、それぞれが縦方向と横方向のレイアウトに対応する。集約ページの第３の配置順序に対応するボタン３２７及び集約ページの第４の配置順序に対応するボタン３２９は、同様であるので、重複する説明を省略する。ボタン３２３、３２５、３２７、３２９のうちの何れかが押されると、印刷時には押されたボタンに対応した順序で８ページ集約印刷が実行される。
【００３７】
既にプレビュー画像を取得している場合において、「２ページ」ボタン３０５が選択されると、画面は、図１２に示すようになる。図１２に示す画面においては、集約ページの第１の配置順序に対応するボタン３３１は、第１の配置順序に従って並べられた２つのプレビュー画像（小）を含む組を２つ含み、それぞれの組が縦方向と横方向のレイアウトに対応する。また、集約ページの第２の配置順序に対応するボタン３３３は、第２の配置順序に従って並べられた２つのプレビュー画像（小）を含む組を２つ含み、それぞれの組が縦方向と横方向のレイアウトに対応する。ボタン３３１、３３３のうちの何れかが押されると、印刷時には押されたボタンに対応した順序で２ページ集約印刷が実行される。
【００３８】
従って、２ページ集約機能における相互に異なった複数のページ配置順序にそれぞれ対応する複数のボタンであってプレビュー用の前記画像を含んだものが同一画面に同時に且つ相互に異なった位置に表示される。
【００３９】
既にプレビュー画像を取得している場合において、「４ページ」ボタン３０７が選択されると、画面は、図１３に示すようになる。図１３に示す画面においては、集約ページの第１の配置順序に対応するボタン３３５は、第１の配置順序に従って並べられた４つのプレビュー画像（小）を含む組を２つ含み、それぞれの組が縦方向と横方向のレイアウトに対応する。また、集約ページの第２の配置順序に対応するボタン３３７は、第２の配置順序に従って並べられた４つのプレビュー画像（小）を含む組を２つ含み、それぞれの組が縦方向と横方向のレイアウトに対応する。集約ページの第３の配置順序に対応するボタン３３９及び集約ページの第４の配置順序に対応するボタン３４１は、同様であるので、重複する説明を省略する。ボタン３３５、３３７、３３９、３４１のうちの何れかが押されると、印刷時には押されたボタンに対応した順序で４ページ集約印刷が実行される。
【００４０】
従って、４ページ集約機能における相互に異なった複数のページ配置順序にそれぞれ対応する複数のボタンであってプレビュー用の前記画像を含んだものが同一画面に同時に且つ相互に異なった位置に表示される。
【００４１】
既にプレビュー画像を取得している場合において、「８ページ」ボタン３０９が選択されると、画面は、図１４に示すようになる。図１４に示す画面においては、集約ページの第１の配置順序に対応するボタン３４３は、第１の配置順序に従って並べられた８つのプレビュー画像（小）を含む組を２つ含み、それぞれの組が縦方向と横方向のレイアウトに対応する。また、集約ページの第２の配置順序に対応するボタン３４５は、第２の配置順序に従って並べられた８つのプレビュー画像（小）を含む組を２つ含み、それぞれの組が縦方向と横方向のレイアウトに対応する。集約ページの第３以降の配置順序に対応するボタンは、スクロールバーを用いて、画面をスクロールすると表示されるがボタン３４３、３４５と同様であるので、重複する説明を省略する。ボタン３４３、３４５などのうちの何れかが押されると、印刷時には押されたボタンに対応した順序で８ページ集約印刷が実行される。
【００４２】
従って、８ページ集約機能における相互に異なった複数のページ配置順序にそれぞれ対応する複数のボタンであってプレビュー用の前記画像を含んだものが同一画面に同時に且つ相互に異なった位置に表示される。
【００４３】
［第２の実施の形態］
図７に示す画面において「とじしろ」ボタン２３５が押されると、未だにプレビュー画像を取得していない場合には、図１５の画面が表示され、既にプレビュー画像を取得している場合には、図１６の画面が表示される。
【００４４】
図１５に示す画面においては、綴じ代オフに対応する「Ｏｆｆ」ボタン２３９、左綴じ代に対応する「左」ボタン２４１、右綴じ代に対応する「右」ボタン２４３、上綴じ代に対応する「上」ボタン２４５が表示される。ボタン２４１、ボタン２４３及びボタン２４５は、ページを模式的に示すアイコンを含む。ボタンごとにアイコンは異なる。「左」アイコン２４１は、左側綴じ代に対応させるように左側に空白部が設けられ、残りの部分に模式的なページの図が配置されたものである。「右」アイコン２４３は、右側綴じ代に対応させるように右側に空白部が設けられ、残りの部分に模式的なページの図が配置されたものである。「上」アイコン２４５は、上側綴じ代に対応させるように上側に空白部が設けられ、残りの部分に模式的なページの図が配置されたものである。
【００４５】
図１６に示す画面においては、綴じ代オフに対応する「Ｏｆｆ」ボタン２４７、左綴じ代に対応する「左」ボタン２４９、右綴じ代に対応する「右」ボタン２５１、上綴じ代に対応する「上」ボタン２５３が表示される。ボタン２４９、ボタン２５１及びボタン２５３は、実際のプレビュー画像を含む。
【００４６】
「左」ボタン２４９は、左側綴じ代に対応させるように左側に空白部が設けられ、残りの部分にプレビュー画像が配置されたものである。
【００４７】
「右」ボタン２５１は、右側綴じ代に対応させるように右側に空白部が設けられ、残りの部分にプレビュー画像が配置されたものである。
【００４８】
「上」ボタン２５３は、上側綴じ代に対応させるように上側に空白部が設けられ、残りの部分にプレビュー画像が配置されたものである。
【００４９】
従って、綴じ代の相互に異なった複数の設定位置にそれぞれ対応する複数のボタンであってプレビュー用の画像を含んだものが同一画面に同時に且つ相互に異なった位置に表示される。
【００５０】
［第３の実施の形態］
図７に示す画面において「枠消去」ボタン２３７が押されると、未だにプレビュー画像を取得していない場合には、図１７の画面が表示され、既にプレビュー画像を取得している場合には、図１８の画面が表示される。
【００５１】
図１７に示す画面においては、上、下、左、右及び中央にそれぞれ対応する枠３５１、３５３、３５５、３５７、３５９が濃いグレーで表示される。また、これらの枠で囲まれた左ページ及び右ページの中央部には、印刷内容を模式的にあらわす図形３７１、３７３が施されている。
【００５２】
図１８に示す画面においては、上、下、左、右及び中央にそれぞれ対応する枠３５１、３５３、３５５、３５７、３５９が濃いグレーで表示される。また、これらの枠で囲まれた左ページ及び右ページの中央部には、実際のプレビュー画面３７５、３７７が挿入されている。
【００５３】
図１７の画面において、チェックボックス３６３、３６５、３６１をチェックすると画面は、図１９に示すようになる。図１９に示す画面においては、チェックボックス３６３、３６５、３６１にそれぞれ対応した枠３５３、３５５、３５１が濃いグレーから白色に変化している。これは、枠が消去されたことを示している。
【００５４】
図１８の画面において、チェックボックス３６３、３６５、３６１をチェックすると画面は、図２０に示すようになる。図２０に示す画面においては、チェックボックス３６３、３６５、３６１にそれぞれ対応した枠３５３、３５５、３５１が濃いグレーから白色に変化している。図２０の画面では、これは、枠が消去されたことを示している。
【００５５】
枠消去機能における相互に異なった複数の設定（各枠の消去のオン／オフの組み合わせ（２の５乗＝３２通り）に対応）にそれぞれ対応する複数の枠の図形を含む画像であってプレビュー用の画像を含んだものが同一画面に異なった時間且つ同一の位置に表示される。
【００５６】
次に、図２１及び図２２を参照して、本実施形態によるプレビュー画面表示装置により行われるプレビュー画面表示方法について、ページ集約機能を例として、説明をする。
【００５７】
図２１及び図２２を参照すると、まず、原稿がシート積載部７１１又は原稿自動給送部７００にセットされているか否かを判断する（ステップＳ５０１）。
【００５８】
原稿がセットされていなければ（ステップＳ５０１でＮＯ）、メイン画面に配置されているプレビューボタンをグレイアウトして利用できない状態にしてから（ステップＳ５０３）、ステップＳ５１９に進む。
【００５９】
原稿がセットされていれば（ステップＳ５０１でＹＥＳ）、プレビューボタンをアクティブにして利用できる状態にしてから（ステップＳ５０５）、ステップＳ５０７に進む。
【００６０】
ステップＳ５０７では、プレビューボタンが押されたか否かを判断し、押されないのであれば（ステップＳ５０７でＮＯ）、ステップＳ５１９に進む。押されたのであれば（ステップＳ５０７でＹＥＳ）、ステップＳ５０９に進む。
【００６１】
ステップＳ５０９では、原稿を読み取る。次に、読取画像に基づいて原稿サイズを認識する（ステップＳ５１１）。次に、読取画像をメモリに格納する（ステップＳ５１３）。次に、メモリに格納した読取画像に基づいてプレビュー画像を作成する（ステップＳ５１５）。次に、プレビュー画像（大）をメイン画面に表示する（ステップＳ５１７）。
【００６２】
ステップＳ５１９では、ページ集約機能が選択されたか否かを判断する（ステップＳ５１９）。
【００６３】
ページ集約機能が選択されなければ（ステップＳ５１９でＮＯ）、ステップＳ５３３に進む。
【００６４】
ページ集約機能が選択されたのであれば（ステップＳ５１９でＹＥＳ）、まず、プレビュー画像がメモリに存在するか否かを判断する（ステップＳ５２１）。ここで、プレビューボタンが押されてステップＳ５０９、Ｓ５１１、Ｓ５１３、Ｓ５１５、Ｓ５１７が実行されているのであれば、プレビュー画像が存在する。
【００６５】
プレビュー画像が存在しないならば（ステップＳ５２１でＮＯ）、プレビュー画像ではなく通常アイコンを用いてプレビュー用の表示オブジェクトを表示してから（ステップＳ５２３）、ステップＳ５３１に進む。
【００６６】
プレビュー画像が存在するならば（ステップＳ５２１でＹＥＳ）、ページ集約の集約枚数分のイメージメモリに読取画像を並べる（ステップＳ５２５）。次に、イメージメモリ上の画像の解像度を落とすことによりアイコン用のプレビュー画像を作成する（ステップＳ５２７）。次に、設定メニューの選択肢にプレビューアイコンを表示してから（ステップＳ５２９）、ステップＳ５３１に進む。
【００６７】
ステップＳ５３１では、ページ集約設定が選択され、これを確定する。つまり、設定メニューの選択肢のうち利用者により選択されたページ集約設定が確定する。例えば、２ページ集約であるときに、横方向に並べる場合には左側のページを右側のページに優先させて配置し、縦方向に並べる場合には上側のページを下側のページに優先させて配置するボタン３１１（図９）が選択されているならば、これを確定する。確定したならば、ステップＳ５３３に進む。
【００６８】
ステップＳ５３３では、プレビュー画像があるか否かを判断する。ここで、プレビューボタンが押されてステップＳ５０９、Ｓ５１１、Ｓ５１３、Ｓ５１５、Ｓ５１７が実行されているのであれば、プレビュー画像が存在する。
【００６９】
プレビュー画像が存在しないならば（ステップＳ５３３でＮＯ）、ステップＳ５４１に進む。
【００７０】
プレビュー画像が存在するならば（ステップＳ５３３でＹＥＳ）、ページ集約の設定がされているか否かを判断する（ステップＳ５３５）。ここで、ステップＳ５１９でページ集約メニューが選択され、ステップＳ５３１でページ集約設定が選択されたことが確定していれば、ここでの判断結果は肯定的となる。
【００７１】
ステップＳ５３５でページ集約の設定がされていることが判断されたならば、メモリに格納されている画像に対してページ集約の処理を施し（ステップＳ５３７）、ページ集約の処理が施された画像を新たなプレビュー画像（大）として表示してから（ステップＳ５３９）、ステップＳ５４１に進む。
【００７２】
ステップＳ５３５でページ集約の設定がされていないことが判断されたならば、ステップＳ５４１に進む。
【００７３】
ステップＳ５４１では、スタートキーが押されたか否かを判断する。
【００７４】
スタートキーが押されないのであれば（ステップＳ５４１でＮＯ）、ステップＳ５０１に戻る。
【００７５】
スタートキーが押されたのであれば（ステップＳ５４１でＹＥＳ）、プレビュー画像があるか否かを判断する（ステップＳ５４３）。ここで、プレビューボタンが押されてステップＳ５０９、Ｓ５１１、Ｓ５１３、Ｓ５１５、Ｓ５１７が実行されているのであれば、プレビュー画像が存在する。
【００７６】
プレビュー画像が存在するならば（ステップＳ５４３でＹＥＳ）、メモリから画像を読み出して、これに基づいて、印刷をする（ステップＳ５４５）。
【００７７】
プレビュー画像が存在しないならば（ステップＳ５４３でＮＯ）、原稿を新たに読み込んで、設定された編集をしてから、印刷をする（ステップＳ５４７）。
【００７８】
次に、動作例について説明をする。
利用者が原稿をセットしていない段階においては、原稿読取りはありえず、従って、ステップＳ５０１からは、ステップＳ５０３を経由して、ステップＳ５１９に進む。原稿をセットしていない段階においてページ集約メニューが選択された場合には（ステップＳ５１９においてＹＥＳ）、プレビュー画像がないので（ステップＳ５２１でＮＯ）、ページ集約メニューがプレビュー画像なしの表示オブジェクトを用いて表示される（ステップＳ５２３）。ページ集約設定が確定するが（ステップＳ５３１）、プレビュー画像がなく（ステップＳ５３３でＮＯ）、スタートキーが押されたか否かの判断をするステップＳ５４１まで進む。スタートキーが押されていないのであれば、ステップＳ５０１に戻る。
【００７９】
原稿をセットしていない段階においてページ集約メニューが選択されないのであれば（ステップＳ５１９においてＮＯ）、ステップＳ５３３に進む。そして、プレビュー画像がなく（ステップＳ５３３でＮＯ）、スタートキーが押されたか否かの判断をするステップＳ５４１まで進む。スタートキーが押されていないのであれば、ステップＳ５０１に戻る。
【００８０】
［原稿未セット状態：スタートキー］
利用者が原稿をセットせず、ページ集約メニューの選択もせず、スタートキーを押したならば（ステップＳ５０１でＮＯ→ステップＳ５０３→ステップＳ５１９でＮＯ→ステップＳ５３３でＮＯ→ステップＳ５４１でＹＥＳ）、プレビュー画像はないので（ステップＳ５４３でＮＯ）、ステップＳ５４７に進み、このステップで新たに原稿を読み取ってからページ集約をしないで印刷処理を行う。
【００８１】
［原稿未セット状態：集約キー、スタートキー］
利用者が原稿をセットせず、ページ集約メニューの選択をして、スタートキーを押したならば（ステップＳ５０１でＮＯ→ステップＳ５０３→ステップＳ５１９でＹＥＳ→ステップＳ５２１でＮＯ→ステップＳ５２３→ステップＳ５３１→ステップＳ５３３でＮＯ→ステップＳ５４１でＹＥＳ）、プレビュー画像はないので（ステップＳ５４３でＮＯ）、ステップＳ５４７に進み、このステップで新たに原稿を読み取ってからページ集約をして印刷処理を行う。
【００８２】
利用者が原稿をセットせず、ページ集約メニューの選択もせず、スタートキーを押すこともしないならば、
ステップＳ５０１でＮＯ
→ステップＳ５０３
→ステップＳ５１９でＮＯ
→ステップＳ５３３でＮＯ
→ステップＳ５４１でＮＯ
→ステップＳ５０１でＮＯ
を繰り返す（繰り返しＡ）が、或る時に利用者が原稿をセットしたならば、ステップＳ５０１でＹＥＳとなり、メイン画面にあるプレビューボタンがグレイアウト状態からアクティブ状態に変化する（ステップＳ５０５）。ここで、プレビューボタンが押されないのであれば（ステップＳ５０７でＮＯ）、ステップＳ５１９に進む。ここで、ページ集約メニューが選択されないことが判断されたならば（ステップＳ５１９でＮＯ）、ステップＳ５３３に進むが、プレビューボタンが押されておらず、プレビュー画像が存在していないので、ステップＳ５３３でＮＯとなり、ステップＳ５４１に進む。ここで、スタートキーが押されないのであれば、ステップＳ５４１でＮＯとなり、ステップＳ５０１に戻る。原稿がセットされている状態で、これを繰り返す。すなわち、
ステップＳ５０１でＹＥＳ
→ステップＳ５０５
→ステップＳ５０７でＮＯ
→ステップＳ５１９でＮＯ
→ステップＳ５３３でＮＯ
→ステップＳ５４１でＮＯ
→ステップＳ５０１でＹＥＳ
を繰り返す（繰り返しＢ）。
【００８３】
［原稿セット状態：スタートキー］
繰り返しＢにおける或る時にスタートキーが押されたならば、ステップＳ５４１でＹＥＳとなり、ステップＳ５４３でＮＯとなり、ステップＳ５４７において、原稿を読み込んで、これに基づいて印刷を行う。
【００８４】
［原稿セット状態：プレビューボタン、スタートキー］
繰り返しＢにおける或る時にプレビューボタンが押されたならば、ステップＳ５０７でＹＥＳとなり、ステップＳ５０９、Ｓ５１１、Ｓ５１３、Ｓ５１５、Ｓ５１７を実行して、プレビュー画面を取得する。その後、スタートキーが押されたならばステップＳ５４１においてＹＥＳとなり、ステップＳ５４３においてＹＥＳとなり、ステップＳ５４５を実行することによりプレビューにより取得した画像を用いて印刷を行う。
【００８５】
［原稿セット状態：集約キー、スタートキー］
繰り返しＢにおける或る時にページ集約メニューが選択されたならば、ステップＳ５１９においてＹＥＳとなる。ステップＳ５２１に進んだ時において、未だにプレビュー画像を取得していないのであれば、ステップＳ５２１においてＮＯとなり、集約ページ数が選択される度に（図８参照）、通常アイコンが含まれた表示オブジェクトを用いて、１枚の印刷紙におけるその集約ページ数に対応したページ配置順序を複数表示する（図９、図１０、図１１参照）。その後、スタートキーが押されたならばステップＳ５４１においてＹＥＳとなり、ステップＳ５４３でＮＯとなり、ステップＳ５４７において、原稿を読み込んで、これに基づいて印刷を行う。
【００８６】
［原稿セット状態：プレビューボタン、集約キー、スタートキー］
繰り返しＢにおける或る時にプレビューボタンが押されたならば、ステップＳ５０７でＹＥＳとなり、ステップＳ５０９、Ｓ５１１、Ｓ５１３、Ｓ５１５、Ｓ５１７を実行して、プレビュー画面を取得する。その後、ページ集約メニューが選択されたならば、ステップＳ５１９においてＹＥＳとなる。ステップＳ５２１に進んだ時において、プレビュー画像を取得しているので、ステップＳ５２１においてＹＥＳとなり、集約ページ数が選択される度に（図８参照）、プレビュー画像が含まれた表示オブジェクトを用いて、１枚の印刷紙におけるその集約ページ数に対応したページ配置順序を複数表示する（図１２、図１３、図１４参照）。その後、スタートキーが押されたならばステップＳ５４１においてＹＥＳとなり、ステップＳ５４３においてＹＥＳとなり、ステップＳ５４５を実行することによりプレビューにより取得した画像を用いて印刷を行う。
【００８７】
次に、本発明の実施の形態によるプレビュー表示装置を含む複合機について図２３を参照して説明する。
図２３に示すように、複合機１０３は、原稿の画像を読み取る画像読取部２０５と、シートに画像を形成する複合機本体（印刷処理部）２１５と、画像読取部２０５及び印刷処理部２１５を操作するための操作パネル部２１７と、操作パネル部２１７が受け付けた操作に基づいて画像読取部２０５及び印刷処理部２１５を制御する演算処理部２１３と、を備えている。操作部２０３及び表示部２１１は、操作パネル部２１７の一部を構成する。
【００８８】
画像読取りのために画像読取部２０５を単体で用いること、画像形成のために印刷処理部２１５を単体で用いることの他に、画像を複写するためにこれらを連動させることもできる。また、複合機１０３は図示しない記憶装置及び／又はファクシミリ装置を含んでいてもよい。記憶装置は、画像読取装置により読み取られた画像やファクシミリ装置により受信した画像を格納することができる。ファクシミリ装置は、画像読取装置により読み取られた画像や記憶装置に格納されている画像を送信することと、外部から画像を受信することができる。更に、複合機１０３は、ネットワークを介してパーソナルコンピュータと接続するためのインターフェースを含んでいてもよい。複合機１０３に接続されたパーソナルコンピュータは、これが管理できるデータについて複合機の機能を利用することができる。
【００８９】
画像読取部２０５は、原稿を自動給送する原稿自動給送部ＳＰＦ(Single Pass Feeder)７００と、原稿の画像を読み取る読取装置本体７１０と、を備えている。
【００９０】
印刷処理部２１５は、シートを給送するシート給送部１０と、シートを手差し給送可能な手差し給送部２０と、シート給送部１０又は手差し給送部２０により給送されるシートに画像を形成する画像形成部３０と、を備えている。上述したように、印刷設定機能選択部２０７及び表示オブジェクト生成部２０９は、演算処理部２１３に含まれていてもよい。
【００９１】
シート給送部１０は、シートを積載するシート積載部１１と、シート積載部１１に積載されたシートを１枚ずつ分離給送する分離給送部１２と、を備えている。シート積載部１１は、回転軸１３を中心に回動する中板１４を備えており、中板１４は、シートを給送する際に回動してシートを上方に持ち上げる。分離給送部１２は、中板１４により持ち上げられたシートを給送するピックアップローラ１５と、ピックアップローラ１５により給送されるシートを１枚ずつに分離する分離ローラ対１６と、を備えている。
【００９２】
手差し給送部２０は、シートを積載可能な手差しトレイ２１と、手差しトレイ２１に積載されたシートを１枚ずつ分離給送する分離給送部２２と、を備えている。手差しトレイ２１は、印刷処理部２１５に回動自在に支持されており、手差し給送する際には、所定の角度に固定させることでシートを積載可能になる。分離給送部２２は、手差しトレイ２１に積載されたシートを給送するピックアップローラ２３と、ピックアップローラ２３により給送されるシートを１枚ずつに分離する分離ローラ２４及び分離パッド２５と、を備えている。
【００９３】
画像形成部３０は、イエロー（Ｙ）、マゼンタ（Ｍ）、シアン（Ｃ）、ブラック（Ｋ）の画像を形成する４つのプロセスカートリッジ３１Ｙ〜３１Ｋと、後述する感光体ドラム７４０Ｙ〜７４０Ｋと、これらの表面を露光する露光装置３２と、感光体ドラム７４０Ｙ〜７４０Ｋの表面に形成されたトナー像をシートに転写する転写部（転写手段）３３と、転写したトナー像をシートに定着させる定着部３４と、を備えている。なお、符号の最後に付すアルファベット（Ｙ、Ｍ、Ｃ、Ｋ）は、それぞれの色（イエロー、マゼンタ、シアン、ブラック）を示している。
【００９４】
４つのプロセスカートリッジ３１Ｙ〜３１Ｋのそれぞれは、印刷処理部２１５から取り外し可能に構成されており、交換可能となっている。なお、４つのプロセスカートリッジ３１Ｙ〜３２Ｋは、形成する画像の色が異なること以外は同様な構成であるため、イエロー（Ｙ）の画像を形成するプロセスカートリッジ３１Ｙの構成のみの説明し、プロセスカートリッジ３１Ｍ〜３１Ｋの説明は省略する。
【００９５】
プロセスカートリッジ３１Ｙは、像担持体としての感光体ドラム７４０Ｙと、感光体ドラム７４０Ｙを帯電させる帯電器７４１Ｙと、感光体ドラム７４０Ｙ上に形成された静電潜像を現像する現像装置７４２Ｙと、感光体ドラム７４０Ｙの表面に残留するトナーを除去するドラムクリーナと、を備えている。現像装置７４２Ｙは、感光体ドラム７４０Ｙを現像する現像装置本体（詳細には図示せず）と、現像装置本体にトナーを供給するトナーカートリッジ（詳細には図示せず）と、を備えている。トナーカートリッジは、現像装置本体に着脱可能に構成されており、収容されたトナーが無くなると、現像装置本体から取り外して、交換することができるようになっている。
【００９６】
露光装置３２は、レーザ光を照射する光源（図示せず）と、レーザ光を感光体ドラム７４０Ｙ〜７４０Ｋに導く複数のミラー（図示せず）等と、を備えている。転写部３３は、感光体ドラム７４０Ｙ〜７４０Ｋに形成されたトナー像を担持する中間転写ベルト３５と、感光体ドラム７４０Ｙ〜７４０Ｋに形成されたトナー像を中間転写ベルト３５に一次転写する一次転写ローラ３６Ｙ〜３６Ｋと、中間転写ベルト３５に転写されたトナー像をシートに二次転写する二次転写ローラ３７と、中間転写ベルト３５に残留するトナーを除去するベルトクリーナ３８と、を備えている。中間転写ベルト３５は、駆動ローラ３９ａ及び従動ローラ３９ｂに掛け渡されており、一次転写ローラ３６Ｙ〜３６Ｋによって感光体ドラム７４０Ｙ〜７４０Ｋに押し付けられている。二次転写ローラ３７は、駆動ローラ３９ａとで中間転写ベルト３５をニップ（挟持）しており、ニップ部Ｎで中間転写ベルト３５が担持するトナー像をシートに転写する。定着部３４は、シートを加熱する加熱ローラ３４ａと、加熱ローラ３４ａに圧接する加圧ローラ３４ｂと、を備えている。
【００９７】
操作パネル部２１７は、所定の情報を表示する表示部２１１と、利用者が画像読取部２０５及び印刷処理部２１５への指示を入力する操作部２０３と、を備えている。本実施形態においては、操作パネル部２１７は、読取装置本体７１０の正面側に配設されている。なお、正面側は図２３の紙面の手前側に対応し、裏面側は図２３の背面側に対応する。
【００９８】
図２に示すように、演算処理部２１３は、シート給送部１０、手差し給送部２０、画像形成部２１５及び画像読取部２０５を駆動制御するＣＰＵ２１３ａを含む。ＣＰＵ２１３ａは、メモリ２１３ｂに格納されているプログラムを読み込んで実行することにより上記の制御を実現する。演算処理部２１３は、利用者による操作パネル部２１７に対する操作に基づいて、シート給送部１０、手差し給送部２０、画像形成部３０及び画像読取部２０５の動作を統合して制御し、シートに画像を形成させる。
【００９９】
次に、上述のように構成された複合機１０３による画像形成動作（全体演算処理部２０５による画像形成制御）について説明する。本実施形態においては、原稿自動給送部７００により給送され、読取装置本体７１０により読み取られた読取原稿の画像を、シート給送部１０により給送されるシートに画像形成部２１５が形成する画像形成動作を例にとり説明する。
【０１００】
利用者による操作パネル部２１７の操作２０３に対する入力により、画像形成開始信号が発信されると、利用者により原稿自動給送部７００に載置された読取原稿が原稿読取位置に向けて自動給送され、原稿読取位置で読取装置本体７１０によって画像が読み取られる。
【０１０１】
読取装置本体７１０により原稿の画像が読み取られると、読み取られた原稿の画像情報に基づいて、露光装置３２が感光体ドラム７４０Ｙ〜７４０Ｋに向けて、それぞれに対応する複数のレーザ光を照射する。このとき、感光体ドラム７４０Ｙ〜７４０Ｋは、それぞれ、帯電器７４１Ｙ〜７４１Ｂにより予め帯電されており、それぞれに対応するレーザ光が照射されることで感光体ドラム７４０Ｙ〜７４０Ｋ上にそれぞれの静電潜像が形成される。その後、現像装置７４２Ｙ〜７４２Ｋにより感光体ドラム７４０Ｙ〜７４０Ｋ上にそれぞれ形成された静電潜像が現像され、感光体ドラム７４０Ｙ〜７４０Ｋ上に、イエロー（Ｙ）、マゼンタ（Ｍ）、シアン（Ｃ）及びブラック（Ｋ）のトナー像が形成される。感光体ドラム７４０Ｙ〜７４０Ｋ上に形成された各色のトナー像は、一次転写ローラ３６Ｙ〜３６Ｋによって中間転写ベルト３５に重畳転写され、重畳転写されたトナー像（フルカラーのトナー像）は、中間転写ベルト３５に担持された状態でニップ部Ｎまで搬送される。
【０１０２】
上述の画像形成動作に並行して、シート積載部１１に積載されたシートが、分離給送部１２によって１枚ずつに分離されながら、ピックアップローラ１５によりシート搬送路２６に給送される。そして、ニップ部Ｎのシート搬送方向上流にあるレジストローラ対２７で、斜行が補正されると共に、所定の搬送タイミングでニップ部Ｎに搬送される。ニップ部Ｎに搬送されたシートは、二次転写ローラ３７によって中間転写ベルト３５が担持するフルカラーのトナー像が転写される。
【０１０３】
トナー像が転写されたシートは、定着部３４で加熱・加圧されることでトナー像が溶融定着され、排出ローラ対１８により装置外に排出される。装置外に排出されたシートは、排出シート積載部１９に積載される。
【０１０４】
なお、シートの両面（第１面及び第２面）に画像を形成する場合には、第１面に画像が形成されたシートが装置外に排出される前に、排出ローラ対１８を逆回転させて両面搬送路１７に搬送し、両面搬送路１７を介して画像形成部３０に再搬送する。そして、第１面と同様に、第２面に画像を形成し、装置外に排出する。装置外に排出されたシートは、排出シート積載部１９に積載される。
【０１０５】
なお、上記のプレビュー画面表示装置は、ハードウェア、ソフトウェア又はこれらの組合わせにより実現することができる。また、上記のプレビュー画面表示装置により行なわれるプレビュー画面表示方法も、ハードウェア、ソフトウェア又はこれらに組合わせにより実現することができる。ここで、ソフトウェアによって実現されるとは、コンピュータがプログラムを読み込んで実行することにより実現されることを意味する。
【０１０６】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory)）を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【産業上の利用可能性】
【０１０７】
本発明は、プレビュー画面を表示するために利用することができる。
【符号の説明】
【０１０８】
１０３  複合機
２０１  プレビュー画面表示部
２０３  入力部
２０５  プレビュー用画像読取部
２０７  印刷設定機能選択部
２０９  表示オブジェクト生成部
２１１  表示部
２１７  操作パネル
【図１】
2018006949.tif 000003
【図２】
2018006949.tif 000004
【図３】
2018006949.tif 000005
【図４】
2018006949.tif 000006
【図５】
2018006949.tif 000007
【図６】
2018006949.tif 000008
【図７】
2018006949.tif 000009
【図８】
2018006949.tif 000010
【図９】
2018006949.tif 000011
【図１０】
2018006949.tif 000012
【図１１】
2018006949.tif 000013
【図１２】
2018006949.tif 000014
【図１３】
2018006949.tif 000015
【図１４】
2018006949.tif 000016
【図１５】
2018006949.tif 000017
【図１６】
2018006949.tif 000018
【図１７】
2018006949.tif 000019
【図１８】
2018006949.tif 000020
【図１９】
2018006949.tif 000021
【図２０】
2018006949.tif 000022
【図２１】
2018006949.tif 000023
【図２２】
2018006949.tif 000024
【図２３】
2018006949.tif 000025